(57)【要約】      （修正有）【課題】梱包操作が簡単で、高さの異なるノズルキャップに対応することができ、安定して積み重ねることができるカセットコンロ用のガスボンベの梱包材。【解決手段】略長方形状に切断された厚みをもつ基材１から製造され、基材の略中央にガスボンベの鍔部の直径の長さと略等しい長さの幅を有する頂面部Ｔと、両側に２つの側面部Ｓと、２つの底面部Ｂとを備え、頂面部には、一列に並べられた複数のガスボンベのノズルキャップが挿通する複数の孔Ｈが穿設され、２つの底面部には、ガスボンベの鍔部とガスボンベのドーム状缶頭部との間に配されたビードと少なくとも部分的に接触する円弧状切込み部Ｎが穿設され、ガスボンベへの装着状態において、２つの底面部が重なり合わず、かつ２つの底面部がガスボンベの鍔部とドーム状缶頭部との間の隙間に挿入され、ガスボンベへの装着状態で、頂面部、２つの側面部および２つの底面部によって前記梱包材が構成される。【選択図】図１
2014037246.tif 000002
【特許請求の範囲】
【請求項１】
一列に並べられた複数のガスボンベの梱包に適用される、略長方形状に切断された厚みをもつ基材から製造された、カセットコンロ用のガスボンベのための梱包材であって、
前記基材は、
前記基材の略中央に、前記ガスボンベの鍔部の直径の長さと略等しい長さの幅を有して、当該基材の長手方向の全長に亘って配された頂面部と、
前記頂面部を挟んで両側に、線状の折り曲げ領域を介して配された２つの側面部と、
前記２つの側面部に隣接して配された線状の折り曲げ領域を介して配された２つの底面部と
を備え、
前記頂面部には、前記一列に並べられた複数のガスボンベのノズルキャップが挿通する複数の孔が穿設され、
前記２つの底面部には、前記梱包材のガスボンベへの装着状態において、前記ガスボンベの前記鍔部と前記ガスボンベのドーム状缶頭部との間に配されたビードと少なくとも部分的に接触する円弧状の縁部によって規定された切込み部が穿設され、
前記梱包材の前記ガスボンベへの装着状態において、前記２つの底面部が重なり合わず、当該２つの底面部の、前記線状の折り曲げ領域に平行な縁部が互いに離間した状態で向かい合い、かつ前記２つの底面部が前記ガスボンベの前記鍔部と前記ドーム状缶頭部との間の隙間に挿入され、
前記梱包材のガスボンベへの装着状態において、前記頂面部、前記２つの側面部および前記２つの底面部によって組立体として前記梱包材が構成され、当該組立体として前記梱包材の横断面が略長方形を呈する
ことを特徴とするカセットコンロ用のガスボンベのための梱包材。
【請求項２】
前記基材の厚さが、前記ガスボンベの前記鍔部と前記ドーム状缶頭部との間に配されたビードの厚さよりもわずかに大きいことを特徴とする請求項１記載のカセットコンロ用のガスボンベのための梱包材。
【請求項３】
前記複数のガスボンベが２〜５本のガスボンベであることを特徴とする請求項１又は２記載のカセットコンロ用のガスボンベのための梱包材に関する。
【請求項４】
前記２つの底面部に穿設された切込みを画定する前記円弧状の縁部の曲率半径の２倍の長さが、前記ガスボンベの鍔部と前記ガスボンベのドーム状缶頭部との間に配されたビードの外径の長さと略等しいことを特徴とする請求項１乃至３のいずれかに記載のカセットコンロ用のガスボンベのための梱包材。
【請求項５】
請求項１乃至４に記載の梱包材を用いて梱包されたガスボンベ。
【発明の詳細な説明】
【技術分野】
【０００１】
本発明はカセットコンロ用のガスボンベのための梱包材及び当該梱包材を用いて梱包されたガスボンベに関するものである。
【背景技術】
【０００２】
従来、カセットコンロ用のガスボンベ（以下、単に「ガスボンベ」という）のための梱包材として、ラップアラウンド式の梱包材が知られている。当該ラップアラウンド式の梱包材は、厚紙から略矩形状（すなわち、シート状）に切断されたものである。当該略矩形状の梱包材を折り畳み、一列に並べられた３本のガスボンベの頭部のノズルキャップから、当該３本のガスボンベの立設面を覆う。然る後、当該略矩形状の梱包材の自由端同士を各ガスボンベの底面において組合せて互いに係止される。このために、当該矩形状の梱包材として採用される厚紙は、必要な長さと幅を有するようにされる。ガスボンベの高さは約２０ｃｍであり、直径は約７ｃｍであるので、当該略矩形状の梱包材は展開状態において長さが約５０ｃｍ、幅が約２０ｃｍのシート材として厚紙原材料から切り出される。
【０００３】
上述の従来のラップアラウンド式の梱包材は、３本のガスボンベを一組とした場合には長さを約５０ｃｍ、幅を約２０ｃｍとする略矩形状（シート状）の梱包材として厚紙から切り出さなければならない。このため、一組ごとに長大な厚紙を必要とすることから、多数のガスボンベを梱包するための資材は結果的に多大な量となる。また、略矩形状（シート状）の梱包材は、その矩形状の外形形状への切り出しと、略矩形状（シート状）の梱包材を折り畳んだ際の自由端部にスリットや切り込みと、頂面部、スロープ部、側面部、端部のそれぞれの間の折り曲げ線を設ける必要があり、資材に要するコストのみならず、略矩形状（シート状）の梱包材の加工に要するコストがかかるという問題がある。
【０００４】
そのうえ、上述の従来のラップアラウンド式の梱包材は、組立てられた完成状態において、３本のガスボンベを手で搬送するためには、一般的には上方から両側面の平坦な部分を指先で把持するのであるが、ガスボンベ自体の重量のために、この３本のガスボンベの把持は滑り易く、不安定で、不安全な状態で搬送しなければならないという問題もある。
【０００５】
かかる従来のラップアラウンド式の梱包材の問題点を解決したものとして、特許文献１には、ガスボンベのノズルキャップの頂面に面する幅と少なくとも１本のガスボンベの外径（太さ）にほぼ等しい長さを有する頂面部と、頂面部の幅方向の両側方に連続して設けられてガスボンベのノズルキャップの周面と鍔部の外周縁とに面する一対の側面部と、側面部の各々の外側に連続して設けられかつそれぞれガスボンベのドーム状の缶体頭部と鍔部との間に空隙を形成するビードの両側に鍔部の直径方向において互いに反対の側から重なり合うように挿入されてビードを把持する少なくとも一対の脚片を各々が有する一対の底面部とを備えた梱包材が開示されている。
【０００６】
図６は特許文献１のガスボンベの梱包材の基材（１０）の、例として２本のガスボンベの収容に適用した形態を展開図で示し、図７は、図６の梱包材の基材（１０）をガスボンベ（２０）の頭部、特に、ノズル周囲を取り囲む鍔部（２３）とノズルキャップ（２４）に対して、これらを包み込んで装着した状態を端面側で示す側面図である。図６に示されるように、特許文献１の梱包材の基材（１０）は、中央の帯状の頂面部（１１）と、その両側に連続して形成された一対の側面部（１２ａ）、（１２ｂ）と、その外側に連続して形成した一対の底面部（１３ａ）、（１３ｂ）から構成されている。前記底面部（１３ａ）、（１３ｂ）の各々には、側面部（１２ａ）、（１２ｂ）とは反対の外側縁で開口する、略Ｕ字形の切込み（１３ｃ）が設けられている。略Ｕ字形の切込み（１３ｃ）の直線部が半円部に連なる部分には互いに対向して切り込み空間内にわずかに突き出す突起（１３ｄ）が形成され、略Ｕ字形の切込み（１３ｃ）の各々の両側には一対の脚片（１３ｅ）が形成されている。
【０００７】
中央の頂面部（１１）は、ガスボンベ（２０）のノズルキャップ（２４）の直径にほぼ等しい幅と、ガスボンベ（２０）の缶体（２１）の直径にほぼ等しい長さとを有する。
図７の端面図に示されるように、装着状態では梱包材の基材（１０）は、ほぼ台形を呈する。つまり、中央の頂面部（１１）は、ガスボンベ（２０）のドーム状缶体頭部（２２）の中央のノズルを囲む凹部に嵌め込まれて不使用時のノズルをカバーするノズルキャップ（２４）の頂面上に載置され、両側面部（１２ａ）、（１２ｂ）はノズルキャップ（２４）の頂縁から、ノズルの凹部の周囲に設けられている鍔部（２３）の外周縁に掛けて両側下方に拡がる斜面を形成し、両底面部（１３ａ）、（１３ｂ）の各脚片（１３ｅ）は、鍔部（２３）とドーム状缶体頭部（２２）の間の隙間を形成する円形のビード（２５）の両側において、それぞれノズルキャップより大径の鍔部（２３）の下面に当接する。このとき、円形のビード（２５）が、各底面部（１３ａ）、（１３ｂ）の一対の略Ｕ字形の切込み（１３ｃ）内に互いに反対方向から突起（１３ｄ）を越えて挿入され、２対の脚片（１３ｅ）は互いに重なり合う。突起（１３ｄ）はビード（２５）に対する脚片（１３ｅ）の抜け止めとして機能する（図７、図８及び図９参照）。
【先行技術文献】
【特許文献】
【０００８】
【特許文献１】実用新案登録第３１１９１８０号
【発明の概要】
【発明が解決しようとする課題】
【０００９】
特許文献１のガスボンベの梱包材の基材（１０）では、上述のとおり、梱包材の基材（１０）をガスボンベ（２０）に装着する際に、ガスボンベ（２０）の円形のビード（２５）を、底面部（１３ａ）、（１３ｂ）の一対の略Ｕ字形の切込み（１３ｃ）内に互いに反対方向から突起（１３ｄ）を越えて挿入し、かつ２対の脚片（１３ｅ）を互いに重なり合うようにすることが必須の要件とされている。そのうえビード（２５）に対する脚片（１３ｅ）の抜け止めとして突起（１３ｄ）が形成されている。
換言すれば、特許文献１記載の発明では、梱包材の基材（１０）をガスボンベ（２０）に装着する際に、ガスボンベ（２０）の鍔部（２３）とドーム状缶体頭部（２０）の間の隙間に、２対の脚片（１３ｅ）をビード（２５）に関して互いに反対方向から突起（１３ｄ）を越えて挿入すること、そして２対の脚片（１３ｅ）を互いに重なり合うようにすること（そのためには、２対の脚片（１３ｅ）の先端同士が当接しないようにする必要がある）、といった微妙な操作が必要になるという問題がある。
【００１０】
特許文献１の梱包材の基材（１０）は、上述のとおり、装着状態において梱包材の基材（１０）は、ほぼ台形を呈するようにするために、中央の頂面部（１１）は、ガスボンベ（２０）のドーム状缶体頭部（２２）の中央のノズルを囲む凹部に嵌め込まれて不使用時のノズルをカバーするノズルキャップ（２４）の頂面上に載置されるのである。すなわち、装着状態において梱包材の基材（１０）の中央の頂面部（１１）の裏面と、ノズルキャップ（２４）とが接触するように設計されているのである。
【００１１】
ガスボンベ自体は、ＪＩＳ規格（ＪＩＳ  Ｓ２１４７）に、ガスボンベの直径、全長、切り込みの場所と大きさ、ノズルの長さなどが規定されている。しかし、ノズルキャップの寸法は規定されておらず、ガスボンベ製造メーカ毎に異なっている。そうすると、特許文献１の梱包材を適用しようとするガスボンベメーカによっては、装着状態において梱包材（１０）が、ほぼ台形を呈するようにすることができないこともあり得る。要するに、高さの異なるノズルキャップに対応することができないので、ノズルキャップの高さに応じた梱包材を用意せざるを得ず、コストが高くなるという問題がある
【００１２】
さらに、特許文献１の梱包材の基材（１０）では、前述のとおり、中央の頂面部（１１）の幅は、ガスボンベ（２０）のノズルキャップ（２４）の直径にほぼ等しいことから、比較的狭いのである。このため、梱包されたガスボンベを積み重ねると、不安定になるという問題がある。
【００１３】
本発明は、叙上の従来の梱包材の問題点を解消し、梱包の操作が簡単で（ワンタッチで梱包操作ができる）、高さの異なるノズルキャップに対応することができ、そのうえ梱包されたガスボンベを安定して積み重ねることができるカセットコンロ用のガスボンベのための梱包材及び当該梱包材を用いて梱包されたガスボンベを提供することを目的とするものである。
【課題を解決するための手段】
【００１４】
かかる目的を達成するために、本発明の請求項１は、一列に並べられた複数のガスボンベの梱包に適用される、略長方形状に切断された、厚みをもつ基材から製造された、カセットコンロ用のガスボンベのための梱包材であって、
前記基材は、
前記基材の略中央に、前記ガスボンベの鍔部の直径の長さと略等しい長さの幅を有して、当該基材の長手方向の全長に亘って配された頂面部と、
前記頂面部を挟んで両側に、線状の折り曲げ領域を介して配された２つの側面部と、
前記２つの側面部に隣接して配された線状の折り曲げ領域を介して配された２つの底面部と
を備え、
前記頂面部には、前記一列に並べられた複数のガスボンベのノズルキャップが挿通する複数の孔が穿設され、
前記２つの底面部には、前記梱包材のガスボンベへの装着状態において、前記ガスボンベの前記鍔部と前記ガスボンベのドーム状缶頭部との間に配されたビードと少なくとも部分的に接触する円弧状の縁部によって規定された切込み部が穿設され、
前記梱包材の前記ガスボンベへの装着状態において、前記２つの底面部が重なり合わず、当該２つの底面部の、前記線状の折り曲げ領域に平行な縁部が互いに離間した状態で向かい合い、かつ前記２つの底面部が前記ガスボンベの前記鍔部と前記ドーム状缶頭部との間の隙間に挿入され、
前記梱包材のガスボンベへの装着状態において、前記頂面部、前記２つの側面部および前記２つの底面部によって組立体として前記梱包材が構成され、当該組立体として前記梱包材の横断面が略長方形を呈する
ことを特徴とするカセットコンロ用のガスボンベのための梱包材に関する。
【００１５】
本発明の請求項２は、前記基材の厚さが、前記ガスボンベの前記鍔部と前記ドーム状缶頭部との間に配されたビードの厚さよりもわずかに大きいことを特徴とする請求項１記載のカセットコンロ用のガスボンベのための梱包材に関する。
【００１６】
本発明の請求項３は、前記複数のガスボンベが２〜５本のガスボンベであることを特徴とする請求項１又は２記載のカセットコンロ用のガスボンベのための梱包材に関する。
【００１７】
本発明の請求項４は、前記２つの底面部に穿設された切込みを画定する前記円弧状の縁部の曲率半径の２倍の長さが、前記ガスボンベの鍔部と前記ガスボンベのドーム状缶頭部との間に配されたビードの外径の長さと略等しいことを特徴とする請求項１乃至３のいずれかに記載のカセットコンロ用のガスボンベのための梱包材に関する。
【００１８】
本発明の請求項５は、請求項１乃至４に記載の梱包材を用いて梱包されたガスボンベに関する。
【発明の効果】
【００１９】
請求項１記載のカセットコンロ用のガスボンベのための梱包材は、一列に並べられた複数のガスボンベの梱包に適用される、略長方形状に切断された厚みをもつ基材からなる、カセットコンロ用のガスボンベのための梱包材であって、前記基材は、前記基材の略中央に、前記ガスボンベの鍔部の直径の長さと略等しい長さの幅を有して、当該基材の長手方向の全長に亘って配された頂面部と、前記頂面部を挟んで両側に、線状の折り曲げ領域を介して配された２つの側面部と、前記２つの側面部に隣接して配された線状の折り曲げ領域を介して配された２つの底面部を備え、前記頂面部には、前記一列に互いに接して並べられた複数のガスボンベのノズルキャップが挿通する複数の孔が穿設されているので、前記梱包材の装着状態において、高さの異なるノズルキャップに対応することができるので、ノズルキャップの高さに応じた梱包材を用意する必要がなく、コストの低減を実現することができる。
【００２０】
また、請求項１記載のカセットコンロ用のガスボンベのための梱包材は、前記頂面部を挟んで両側に、線状の折り曲げ領域を介して配された２つの側面部と、前記２つの側面部に隣接して配された線状の折り曲げ領域を介して配された２つの底面部とを備え、前記頂面部には、前記一列に並べられた複数のガスボンベのノズルキャップが挿通する複数の孔が穿設され、前記２つの底面部には、前記梱包材のガスボンベへの装着状態において、前記ガスボンベの前記鍔部と前記ガスボンベのドーム状缶頭部との間に配されたビードと少なくとも部分的に接触する円弧状の縁部によって規定された切込み部が穿設され、当該梱包材の前記ガスボンベへの装着状態において、前記２つの底面部が重なり合わず、当該２つの底面部の、前記線状の折り曲げ領域に平行な縁部が互いに離間した状態で向かい合い、かつ前記２つの底面部が前記ガスボンベの前記鍔部と前記ドーム状缶頭部との間の隙間に挿入される構成を有するため、梱包材のガスボンベへの装着は、頂面部に穿設された孔に、複数のガスボンベそれぞれのノズルキャップを挿通させるだけで位置決めができ、線状の折り曲げ領域に沿って２つの側面部及び２つの底面部を折り曲げた後、当該２つの底面部をガスボンベの鍔部とガスボンベのドーム状缶頭部との間の隙間に差し込むだけでよいので、きわめて梱包操作が単純であり、ワンタッチで梱包操作をし得る。
【００２１】
本発明の請求項２記載のカセットコンロ用のガスボンベのための梱包材は、前記基材の厚さが、前記ガスボンベの前記鍔部と前記ドーム状缶頭部との間に配されたビードの厚さよりもわずかに大きいので、２つの底面部をガスボンベの鍔部とガスボンベのドーム状缶頭部との間の隙間に圧入されるので、当該２つの底面部は、ガスボンベの鍔部とガスボンベのドーム状缶頭部との間の隙間から抜けにくいという利点がある。
【００２２】
本発明の請求項３記載のカセットコンロ用のガスボンベのための梱包材は、前記複数のガスボンベが２〜５本のガスボンベであるので、従来のカセットコンロ用のガスボンベのための梱包材と同数のガスボンベを、従来の梱包材に比して低コストで提供することができる。
【００２３】
本発明の請求項４記載のカセットコンロ用のガスボンベのための梱包材は、前記２つの底面部に穿設された切込みを画定する前記円弧状の縁部の曲率半径の２倍の長さが、前記ガスボンベの鍔部と前記ガスボンベのドーム状缶頭部との間に配されたビードの外径の長さと略等しいので、梱包操作が終了すると、前記２つの底面部に穿設された切込みによって画定される略円形の孔に、前記ガスボンベの鍔部と前記ガスボンベのドーム状缶頭部との間に配されたビードが遊びなく挿入されるので、当該２つの底面部は、ガスボンベの鍔部とガスボンベのドーム状缶頭部との間の隙間から抜けにくいという利点がある。
【００２４】
本発明の請求項５記載の梱包されたガスボンベは、請求項１乃至４に記載の梱包材を用いているので、前記梱包材のガスボンベへの装着状態において、前記梱包材の前記頂面部、前記２つの側面部および前記２つの底面部によって組立体として前記梱包材が構成され、前記基材の略中央に、前記ガスボンベの鍔部の直径の長さと略等しい長さの幅を有しており、かつ当該組立体としての前記梱包材の横断面が略長方形を呈する構成であるので、側面部が専ら圧縮荷重を受け、曲げモーメントを殆ど受けないことから、前記梱包材を用いて梱包されたガスボンベの上に安定して積み上げることができるという利点がる。
【図面の簡単な説明】
【００２５】
【図１】本発明のカセットコンロ用のガスボンベのための梱包材を構成する基材を示す平面説明図である。
【図２】（Ａ）は本発明のカセットコンロ用のガスボンベのための梱包材を構成する基材を折り曲げて組立体として３本のガスボンベに装着した状態の上面説明図であり、（Ｂ）は（Ａ）の組立体の側面説明図である。
【図３】（Ａ）は本発明のカセットコンロ用のガスボンベのための梱包材を構成する基材を折り曲げて得られた組立体の底面説明図であり、（Ｂ）は（Ａ）の組立体の側面説明図である。
【図４】本発明のカセットコンロ用のガスボンベのための梱包材の基材のガスボンベへの装着過程を示す側面説明図である。
【図５】本発明の梱包材を用いて梱包されたガスボンベを３段に積み上げた状態を示す正面説明図である。
【図６】従来のカセットコンロ用のガスボンベのための梱包材を構成する基材を示す平面説明図である。
【図７】図６の梱包材の基材がガスボンベに装着された状態を示す側面説明図である。
【図８】従来のカセットコンロ用のガスボンベのための梱包材の基材のガスボンベへの装着過程を示す側面説明図である。
【図９】従来のカセットコンロ用のガスボンベのための梱包材の基材のガスボンベへの装着過程を示す側面説明図である。
【発明を実施するための形態】
【００２６】
添付図面を参照しながら、本実施の形態のカセットコンロ用のガスボンベのための梱包材を詳細に説明する。
図１は本発明のカセットコンロ用のガスボンベのための梱包材を構成する基材を示す平面説明図である。図２の（Ａ）は本発明のカセットコンロ用のガスボンベのための梱包材を構成する基材を折り曲げて組立体として３本のガスボンベに装着した状態の上面説明図であり、図２の（Ｂ）は図２の（Ａ）の組立体の側面説明図である。図３の（Ａ）は本発明のカセットコンロ用のガスボンベのための梱包材を構成する基材を折り曲げて得られた組立体の底面説明図であり、図３の（Ｂ）は図３の（Ａ）の組立体の側面説明図である。図４は本発明のカセットコンロ用のガスボンベのための梱包材の基材のガスボンベへの装着過程を示す側面説明図である。
【００２７】
図１〜図４を参照すると、本発明の一実施の形態のカセットコンロ用のガスボンベのための梱包材を構成する基材（１）は、３本のガスボンベ（２）一列に並べられる寸法を有するように、厚みをもつ素材（例えば、段ボール、２枚の厚紙を張り合わせたもの、発砲スチロール等の発泡性を有する合成樹脂など）を、略長方形状に切断して得られる。本実施形態のガスボンベのための梱包材には、特定の素材に限定されることはないが、例えば、日本工業規格（ＪＩＳ）のＪＩＳ  Ｚ１５１６（外装用段ボール）のＢ段（段が低いので平面圧縮強さに優れており、缶詰やびん詰など内容物が潰れにくい商品の輸送用の外装箱に用いられる）が好適に採用される。ＪＩＳ  Ｚ１５１６（外装用段ボール）のＢ段は、厚さは、約２．５〜２．８ｍｍとされている。本実施形態の梱包材は、３本のガスボンベ（２）を梱包するものであるが、本発明は、３本に限定されることはなく、２本のガスボンベ（２）を梱包するもの、４〜５本を梱包するものにも適用され得る。
【００２８】
そして、図２を参照すると、基材（１）の略中央には、２つの線状の折り曲げ線（ＦＬ１）、（ＦＬ１）によって画定される、ガスボンベ（２）の鍔部（２Ｆ）の直径（Ｄ１）の長さと略等しい長さの幅を有する頂面部（Ｔ）の領域が配されている。そして、頂面部（Ｔ）は、基材（１）の長手方向の全長に亘って配されている。
【００２９】
頂面部（Ｔ）を挟んで両側には、それぞれ２つの線状の折り曲げ領域（ＦＬ１）と（ＦＬ２）によって画定された２つの側面部（Ｓ）が配されている。当該２つの側面部（Ｓ）に隣接して、線状の折り曲げ領域（ＦＬ２）を介して２つの底面部（Ｂ）が配されている。
【００３０】
本実施形態によれば、図１に示されているように、頂面部（Ｔ）には、一列に並べられた３本のガスボンベ（２）のノズルキャップ（Ｃ）が挿通する３つの孔（Ｈ）が穿設されている。隣接する孔（Ｈ）と孔（Ｈ）との間の距離は、図１に示されるように、孔（Ｈ）の中心（ＣＬ１）と隣接する孔（Ｈ）の中心（ＣＬ２）との間の距離（ピッチ）（Ｐ）、孔（Ｈ）の中心（ＣＬ２）と隣接する孔（Ｈ）の中心（ＣＬ３）との間の距離（ピッチ）（Ｐ）で規定され、ピッチ（Ｐ）と、ガスボンベ（２）の胴部（２Ｃ）の外径（Ｄ４）との間には、Ｐ≧Ｄ４の関係がある。したがって、ガスボンベ（２）のキャップ（Ｃ）を孔（Ｈ）に挿通させるだけで、梱包材に対するガスボンベ（２）の位置関係が決まるので、梱包操作が容易になるという利点がある。
【００３１】
また、前記２つの底面部（Ｂ）には、当該梱包材のガスボンベ（２）への装着状態において、ガスボンベ（２）の鍔部（２Ｆ）とガスボンベ（２）のドーム状缶頭部との間に配されたビード（２Ｂ）と少なくとも部分的に接触する円弧状の縁部（Ｎｅ１）（図３の（Ａ）参照）によって規定された切込み部（Ｎ）が穿設されている。
【００３２】
本実施形態の梱包材のガスボンベ（２）への装着状態において、前記２つの底面部（Ｂ）が重なり合わず、当該２つの底面部（Ｂ）の、線状の折り曲げ領域（ＦＬ１）、（ＦＬ２）に平行な縁部（Ｎｅ１）（図３参照）が互いに離間した状態で向かい合い、かつ前記２つの底面部（Ｂ）がガスボンベ（２）の鍔部（２Ｆ）とドーム状缶頭部（２Ｈ）との間の隙間に挿入される。この隙間の距離（ｔ２）（図４参照）は、約２．２ｍｍであるので、前述のとおり、本実施の形態の梱包材において、日本工業規格（ＪＩＳ）のＪＩＳ  Ｚ１５１６（外装用段ボール）のＢ段を採用すると、段ボールの厚さ（ｔ１）（図２の（Ｂ））は、約２．５〜２．８ｍｍとされているので、ｔ１≧ｔ２の関係を満たす。そのため、２つの底面部（Ｂ）がガスボンベ（２）の鍔部（２Ｆ）とドーム状缶頭部（２Ｈ）との間の隙間に挿入されると、２つの底面部（Ｂ）が当該隙間から脱落し難い。ＪＩＳ  Ｚ１５１６の外装用段ボールを採用した場合、略長方形状に切断すると、切断部の厚みが２．２〜２．３ｍｍとなるが、その場合、隙間の距離（ｔ２）と段ボールの厚みはほぼ等しいので、２つの底面部（Ｂ）はガスボンベ（２）の鍔部（２Ｆ）とドーム状缶頭部（２Ｈ）との間の隙間にすれすれで挿入されるため、若干の圧入効果乃至は係止効果が得られ得るので、実用上問題はない。
【００３３】
本実施形態の梱包材のガスボンベ（２）への装着状態において、頂面部（Ｔ）、２つの側面部（Ｓ）および２つの底面部（Ｂ）によって組立体（１Ａ）としての梱包材が構成される。当該組立体（１Ａ）としての梱包材の横断面は略長方形を呈する（図２の（Ｂ）参照）。
そのため、側面部（Ｓ）をガスボンベ（２）の鍔部（２Ｆ）に対して垂直方向に保持できるので、当該組立体（１Ａ）としての梱包材が、上方からの外力に対して側面部（Ｓ）は専ら圧縮荷重だけを受けることになり、曲げモーメントを殆ど受けないという優れた効果を奏しうる。
【００３４】
ここで、図３を参照すると、２つの底面部（Ｂ）に穿設された切込み（Ｎ）を画定する前記円弧状の縁部（Ｎｅ１）の曲率半径（Ｒ１）の２倍の長さが、ガスボンベ（２）の鍔部（２Ｆ）とガスボンベ（２）のドーム状缶頭部（２Ｈ）との間に配されたビード（２Ｂ）の外径（Ｄ５）の長さと略等しい。
したがって、梱包操作が終了すると、前記２つの底面部（Ｂ）に穿設された切込み（Ｎ）によって画定される略円形の孔（ＨＮ）に、ガスボンベ（２）の鍔部（２Ｆ）とガスボンベ（２）のドーム状缶頭部（２Ｈ）との間に配されたビード（２Ｂ）が遊びなく挿入されるので、接触面積を大きく確保することでき、ひいては摩擦力を大きくすることが可能になり、当該２つの底面部（Ｂ）は、ガスボンベ（２）の鍔部（２Ｆ）とガスボンベ（２）のドーム状缶頭部（２Ｈ）との間の隙間から抜けにくいという利点がある。
【００３５】
図５を参照しながら、本発明の他の実施形態にかかる、前記実施形態の梱包材を用いて梱包されたガスボンベについて説明する。図５は、本発明の梱包材を用いて梱包されたガスボンベを３段に積み上げた状態を示す正面説明図である。
【００３６】
前述のとおり、図２に示されるように、梱包材のガスボンベ（２）への装着状態において、頂面部（Ｔ）、２つの側面部（Ｓ）および２つの底面部（Ｂ）によって組立体（１Ａ）としての梱包材が構成され、当該組立体（１Ａ）としての梱包材の横断面は略長方形を呈する（図２の（Ｂ）参照）。そのため、側面部（Ｓ）をガスボンベ（２）の鍔部（２Ｆ）に対して垂直方向に保持できるので、当該組立体（１Ａ）としての梱包材が、上方からの外力に対して側面部（Ｓ）は専ら圧縮荷重だけを受けることになる。この優れた効果により、例えば、梱包材の組立体（１Ａ１）よって梱包された３本のガスボンベ（２）の上に、梱包材の組立体（１Ａ２）よって梱包された３本のガスボンベ（２）を積むと、梱包材の組立体（１Ａ１）の孔（Ｈ）よりキャップ（Ｃ）が突出していても、ガスボンベ（２）のガスボンベ底面（ＢＳ）が凹面となっているため、ガスボンベ底面（ＢＳ）とキャップ（Ｃ）とが突き当ることはない。図５には、キャップ（Ｃ）の上部が孔（Ｈ）から突出している状態が図示されているが、ガスボンベメーカのキャップの高さの平均をとって、これを底面部（Ｂ）から孔（Ｈ）までの距離とすれば、キャップ（Ｃ）の上部が孔（Ｈ）に接する状態のものから、キャップ（Ｃ）の上部が孔（Ｈ）から若干突出している状態のものまで存在し、これにより、自動梱包の際の梱包材に対するガスボンベ（２）の位置決めが達成される。そのうえ、前述のとおり、図２を参照すると、基材（１）の略中央には、２つの線状の折り曲げ線（ＦＬ１）、（ＦＬ１）によって画定される、ガスボンベ（２）の鍔部（２Ｆ）の直径（Ｄ１）の長さと略等しい長さの幅を有する頂面部（Ｔ）の領域が配されている。従って、特許文献１の梱包材と比べて、幅の広い頂面部（Ｔ）の領域が実現されるので、安定して梱包材の組立体（１Ａ１）によって梱包された３本のガスボンベ（２）の上に、梱包材の組立体（１Ａ２）によって梱包された３本のガスボンベ（２）を積むことができる。同様に、梱包材の組立体（１Ａ２）によって梱包された３本のガスボンベ（２）の上に、梱包材の組立体（１Ａ３）によって梱包された３本のガスボンベ（２）を積むことができる。
【産業上の利用可能性】
【００３７】
本発明のガスボンベのための梱包材によれば、一列に並べられた複数のガスボンベの梱包に適用される、略長方形状に切断された厚みをもつ基材からなる、カセットコンロ用のガスボンベのための梱包材であって、前記基材は、前記基材の略中央に、前記ガスボンベの鍔部の直径の長さと略等しい長さの幅を有して、当該基材の長手方向の全長に亘って配された頂面部と、前記頂面部を挟んで両側に、線状の折り曲げ領域を介して配された２つの側面部と、前記２つの側面部に隣接して配された線状の折り曲げ領域を介して配された２つの底面部を備え、前記頂面部には、前記一列に互いに接して並べられた複数のガスボンベのノズルキャップが挿通する複数の孔が穿設されているので、前記梱包材の装着状態において、高さの異なるノズルキャップに対応することができるので、ノズルキャップの高さに応じた梱包材を用意する必要がなく、コストの低減を実現することができる。
本発明のガスボンベのための梱包材によれば、前記頂面部を挟んで両側に、線状の折り曲げ領域を介して配された２つの側面部と、前記２つの側面部に隣接して配された線状の折り曲げ領域を介して配された２つの底面部とを備え、前記頂面部には、前記一列に並べられた複数のガスボンベのノズルキャップが挿通する複数の孔が穿設され、前記２つの底面部には、前記梱包材のガスボンベへの装着状態において、前記ガスボンベの前記鍔部と前記ガスボンベのドーム状缶頭部との間に配されたビードと少なくとも部分的に接触する円弧状の縁部によって規定された切込み部が穿設され、当該梱包材の前記ガスボンベへの装着状態において、前記２つの底面部が重なり合わず、当該２つの底面部の、前記線状の折り曲げ領域に平行な縁部が互いに離間した状態で向かい合い、かつ前記２つの底面部が前記ガスボンベの前記鍔部と前記ドーム状缶頭部との間の隙間に挿入される構成を有するため、梱包材のガスボンベへの装着は、頂面部に穿設された孔に、複数のガスボンベそれぞれのノズルキャップを挿通させるだけで位置決めができ、線状の折り曲げ領域に沿って２つの側面部及び２つの底面部を折り曲げた後、当該２つの底面部をガスボンベの鍔部とガスボンベのドーム状缶頭部との間の隙間に差し込むだけでよいので、きわめて梱包操作が単純であり、ワンタッチで梱包操作をし得る。
【００３８】
本発明のカセットコンロ用のガスボンベのための梱包材によれば、前記基材の厚さが、前記ガスボンベの前記鍔部と前記ドーム状缶頭部との間に配されたビードの厚さよりもわずかに大きいので、２つの底面部をガスボンベの鍔部とガスボンベのドーム状缶頭部との間の隙間に圧入されるので、当該２つの底面部は、ガスボンベの鍔部とガスボンベのドーム状缶頭部との間の隙間から抜けにくいという利点がある。
【００３９】
本発明のカセットコンロ用のガスボンベのための梱包材によれば、前記複数のガスボンベが２〜５本のガスボンベであるので、従来のカセットコンロ用のガスボンベのための梱包材と同数のガスボンベを、従来の梱包材に比して低コストで提供することができる。
【００４０】
本発明のカセットコンロ用のガスボンベのための梱包材によれば、前記２つの底面部に穿設された切込みを画定する前記円弧状の縁部の曲率半径の２倍の長さが、前記ガスボンベの鍔部と前記ガスボンベのドーム状缶頭部との間に配されたビードの外径の長さと略等しいので、梱包操作が終了すると、前記２つの底面部に穿設された切込みによって画定される略円形の孔に、前記ガスボンベの鍔部と前記ガスボンベのドーム状缶頭部との間に配されたビードが遊びなく挿入されるので、当該２つの底面部は、ガスボンベの鍔部とガスボンベのドーム状缶頭部との間の隙間から抜けにくいという利点がある。
【００４１】
本発明の梱包されたガスボンベによれば、請求項１乃至４に記載の梱包材を用いているので、前記梱包材のガスボンベへの装着状態において、前記梱包材の前記頂面部、前記２つの側面部および前記２つの底面部によって組立体として前記梱包材が構成され、前記基材の略中央に、前記ガスボンベの鍔部の直径の長さと略等しい長さの幅を有しており、かつ当該組立体としての前記梱包材の横断面が略長方形を呈する構成であるので、側面部が専ら圧縮荷重を受け、曲げモーメントを殆ど受けないことから、前記梱包材を用いて梱包されたガスボンベの上に安定して積み上げることができるという利点がる。
【符号の説明】
【００４２】
１                            基材
１Ａ、１Ａ１、１Ａ２、１Ａ３  組立体
２                            ガスボンベ
２Ｂ                          ビード
２Ｃ                          胴体部
２Ｆ                          鍔部
２Ｈ                          ドーム状缶頭部
Ｂ                            底面部
ＢＳ                          ガスボンベ底面
Ｃ                            キャップ
ＣＬ１、ＣＬ２、ＣＬ３        孔の中心
ＦＬ１、ＦＬ２                折り曲げ線
Ｈ、ＨＮ  
Ｎ                            切り込み
Ｎｅ、Ｎｅ１、Ｎｅ２          切り込みの縁
Ｓ                            側面部
ＨＮ                          孔
Ｔ                            頂面部
ｔ１                          基材の厚さ
ｔ２                          鍔部とドーム状缶頭部との間の隙間の距離
【図１】
2014037246.tif 000003
【図２】
2014037246.tif 000004
【図３】
2014037246.tif 000005
【図４】
2014037246.tif 000006
【図５】
2014037246.tif 000007
【図６】
2014037246.tif 000008
【図７】
2014037246.tif 000009
【図８】
2014037246.tif 000010
【図９】
2014037246.tif 000011
【手続補正書】
【提出日】平成24年10月3日(2012.10.3)
【手続補正１】
【補正対象書類名】特許請求の範囲
【補正対象項目名】請求項１
【補正方法】変更
【補正の内容】
【請求項１】
一列に並べられた複数のガスボンベの梱包に適用される、略長方形状に切断された厚みをもつ基材から製造された、カセットコンロ用のガスボンベのための梱包材であって、
前記基材は、
前記基材の略中央に、前記ガスボンベの鍔部の直径の長さと略等しい長さの幅を有して、
当該基材の長手方向の全長に亘って配された頂面部と、
前記頂面部を挟んで両側に、線状の折り曲げ領域を介して配された２つの側面部と、
前記２つの側面部に隣接して配された線状の折り曲げ領域を介して配された２つの底面部と、
を備え、
前記頂面部には、前記一列に並べられた複数のガスボンベのノズルキャップが挿通する複数の孔が穿設され、
前記２つの底面部には、前記梱包材のガスボンベへの装着状態において、前記ガスボンベの前記鍔部と前記ガスボンベのドーム状缶頭部との間に配されたビードと少なくとも部分的に接触する円弧状の縁部によって規定された切込みが穿設され、
前記梱包材の前記ガスボンベへの装着状態において、前記２つの底面部が重なり合わず、当該２つの底面部の、前記線状の折り曲げ領域に平行な縁部が互いに離間した状態で向かい合い、かつ前記２つの底面部が前記ガスボンベの前記鍔部と前記ドーム状缶頭部との間の隙間に挿入され、
前記梱包材のガスボンベへの装着状態において、前記頂面部、前記２つの側面部および前記２つの底面部によって組立体として前記梱包材が構成され、当該組立体として前記梱包材の横断面が略長方形を呈する
ことを特徴とするカセットコンロ用のガスボンベのための梱包材。
【手続補正２】
【補正対象書類名】明細書
【補正対象項目名】００１４
【補正方法】変更
【補正の内容】
【００１４】
かかる目的を達成するために、本発明の請求項１は、一列に並べられた複数のガスボンベの梱包に適用される、略長方形状に切断された、厚みをもつ基材から製造された、カセットコンロ用のガスボンベのための梱包材であって、
前記基材は、
前記基材の略中央に、前記ガスボンベの鍔部の直径の長さと略等しい長さの幅を有して、
当該基材の長手方向の全長に亘って配された頂面部と、
前記頂面部を挟んで両側に、線状の折り曲げ領域を介して配された２つの側面部と、
前記２つの側面部に隣接して配された線状の折り曲げ領域を介して配された２つの底面部と、
を備え、
前記頂面部には、前記一列に並べられた複数のガスボンベのノズルキャップが挿通する複数の孔が穿設され、
前記２つの底面部には、前記梱包材のガスボンベへの装着状態において、前記ガスボンベの前記鍔部と前記ガスボンベのドーム状缶頭部との間に配されたビードと少なくとも部分的に接触する円弧状の縁部によって規定された切込みが穿設され、
前記梱包材の前記ガスボンベへの装着状態において、前記２つの底面部が重なり合わず、当該２つの底面部の、前記線状の折り曲げ領域に平行な縁部が互いに離間した状態で向かい合い、かつ前記２つの底面部が前記ガスボンベの前記鍔部と前記ドーム状缶頭部との間の隙間に挿入され、
前記梱包材のガスボンベへの装着状態において、前記頂面部、前記２つの側面部および前記２つの底面部によって組立体として前記梱包材が構成され、当該組立体として前記梱包材の横断面が略長方形を呈する
ことを特徴とするカセットコンロ用のガスボンベのための梱包材に関する。
【手続補正３】
【補正対象書類名】明細書
【補正対象項目名】００２０
【補正方法】変更
【補正の内容】
【００２０】
また、請求項１記載のカセットコンロ用のガスボンベのための梱包材は、前記頂面部を挟んで両側に、線状の折り曲げ領域を介して配された２つの側面部と、前記２つの側面部に隣接して配された線状の折り曲げ領域を介して配された２つの底面部とを備え、前記頂面部には、前記一列に並べられた複数のガスボンベのノズルキャップが挿通する複数の孔が穿設され、前記２つの底面部には、前記梱包材のガスボンベへの装着状態において、前記ガスボンベの前記鍔部と前記ガスボンベのドーム状缶頭部との間に配されたビードと少なくとも部分的に接触する円弧状の縁部によって規定された切込みが穿設され、当該梱包材の前記ガスボンベへの装着状態において、前記２つの底面部が重なり合わず、当該２つの底面部の、前記線状の折り曲げ領域に平行な縁部が互いに離間した状態で向かい合い、かつ前記２つの底面部が前記ガスボンベの前記鍔部と前記ドーム状缶頭部との間の隙間に挿入される構成を有するため、梱包材のガスボンベへの装着は、頂面部に穿設された孔に、複数のガスボンベそれぞれのノズルキャップを挿通させるだけで位置決めができ、線状の折り曲げ領域に沿って２つの側面部及び２つの底面部を折り曲げた後、当該２つの底面部をガスボンベの鍔部とガスボンベのドーム状缶頭部との間の隙間に差し込むだけでよいので、きわめて梱包操作が単純であり、ワンタッチで梱包操作をし得る。
【手続補正４】
【補正対象書類名】明細書
【補正対象項目名】００２４
【補正方法】変更
【補正の内容】
【００２４】
本発明の請求項５記載の梱包されたガスボンベは、請求項１乃至４に記載の梱包材を用いているので、前記梱包材のガスボンベへの装着状態において、前記梱包材の前記頂面部、前記２つの側面部および前記２つの底面部によって組立体として前記梱包材が構成され、前記基材の略中央に、前記ガスボンベの鍔部の直径の長さと略等しい長さの幅を有しており、かつ当該組立体としての前記梱包材の横断面が略長方形を呈する構成であるので、側面部が専ら圧縮荷重を受け、曲げモーメントを殆ど受けないことから、前記梱包材を用いて梱包されたガスボンベの上に安定して積み上げることができるという利点がある。
【手続補正５】
【補正対象書類名】明細書
【補正対象項目名】００２７
【補正方法】変更
【補正の内容】
【００２７】
図１〜図４を参照すると、本発明の一実施の形態のカセットコンロ用のガスボンベのための梱包材を構成する基材（１）は、３本のガスボンベ（２）が一列に並べられる寸法を有するように、厚みをもつ素材（例えば、段ボール、２枚の厚紙を張り合わせたもの、発泡スチロール等の発泡性を有する合成樹脂など）を、略長方形状に切断して得られる。本実施形態のガスボンベのための梱包材には、特定の素材に限定されることはないが、例えば、日本工業規格（ＪＩＳ）のＪＩＳ  Ｚ１５１６（外装用段ボール）のＢ段（段が低いので平面圧縮強さに優れており、缶詰やびん詰など内容物が潰れにくい商品の輸送用の外装箱に用いられる）が好適に採用される。ＪＩＳ  Ｚ１５１６（外装用段ボール）のＢ段は、厚さは、約２．５〜２．８ｍｍとされている。本実施形態の梱包材は、３本のガスボンベ（２）を梱包するものであるが、本発明は、３本に限定されることはなく、２本のガスボンベ（２）を梱包するもの、４〜５本を梱包するものにも適用され得る。
【手続補正６】
【補正対象書類名】明細書
【補正対象項目名】００２８
【補正方法】変更
【補正の内容】
【００２８】
そして、図２を参照すると、基材（１）の略中央には、２つの線状の折り曲げ領域（ＦＬ1）、（ＦＬ1）によって画定される、ガスボンベ（２）の鍔部（２Ｆ）の直径（Ｄ1）の長さと略等しい長さの幅を有する頂面部（Ｔ）の領域が配されている。そして、頂面部（Ｔ）は、基材（１）の長さ方向の全長に亘って配されている。
【手続補正７】
【補正対象書類名】明細書
【補正対象項目名】００２９
【補正方法】変更
【補正の内容】
【００２９】
頂面部（Ｔ）を挟んで両側には、それぞれ２つの線状の折り曲げ領域（ＦＬ1）と（ＦＬ2）によって画定された２つの側面部（Ｓ）が配されている。当該２つの側面部（Ｓ）に隣接して、線状の折り曲げ領域（ＦＬ2）を介して２つの底面部（Ｂ）が配されている。
【手続補正８】
【補正対象書類名】明細書
【補正対象項目名】００３１
【補正方法】変更
【補正の内容】
【００３１】
また、前記２つの底面部（Ｂ）には、当該梱包材のガスボンベ（２）への装着状態において、ガスボンベ（２）の鍔部（２Ｆ）とガスボンベ（２）のドーム状缶頭部との間に配されたビード（２Ｂ）と少なくとも部分的に接触する円弧状の縁部（Ｎｅ１）（図３の（Ａ）参照）によって規定された切込み（Ｎ）が穿設されている。
【手続補正９】
【補正対象書類名】明細書
【補正対象項目名】００３２
【補正方法】変更
【補正の内容】
【００３２】
本実施形態の梱包材のガスボンベ（２）への装着状態において、前記２つの底面部（Ｂ）が重なり合わず、当該２つの底面部（Ｂ）の、線状の折り曲げ領域（ＦＬ1）、（ＦＬ2）に平行な縁部（Ｎｅ２）（図３参照）が互いに離間した状態で向かい合い、かつ前記２つの底面部（Ｂ）がガスボンベ（２）の鍔部（２Ｆ）とドーム状缶頭部（２Ｈ）との間の隙間に挿入される。この隙間の距離（ｔ2）（図４参照）は、約２．２ｍｍであるので、前述のとおり、本実施の形態の梱包材において、日本工業規格（ＪＩＳ）のＪＩＳ  Ｚ１５１６（外装用段ボール）のＢ段を採用すると、段ボールの厚さ（ｔ1）（図２の（Ｂ））は、約２．５〜２．８ｍｍとされているので、ｔ1≧ｔ2の関係を満たす。そのため、２つの底面部（Ｂ）がガスボンベ（２）の鍔部（２Ｆ）とドーム状缶頭部（２Ｈ）との間の隙間に挿入されると、２つの底面部（Ｂ）が当該隙間から脱落し難い。ＪＩＳ  Ｚ１５１６の外装用段ボールを採用した場合、略長方形状に切断すると、切断部の厚みが２．２〜２．３ｍｍとなるが、その場合、隙間の距離（ｔ2）と段ボールの厚みはほぼ等しいので、２つの底面部（Ｂ）はガスボンベ（２）の鍔部（２Ｆ）とドーム状缶頭部（２Ｈ）との間の隙間にすれすれで挿入されるため、若干の圧入効果乃至は係止効果が得られ得るので、実用上問題はない。
【手続補正１０】
【補正対象書類名】明細書
【補正対象項目名】００３６
【補正方法】変更
【補正の内容】
【００３６】
前述のとおり、図２に示されるように、梱包材のガスボンベ（２）への装着状態において、頂面部（Ｔ）、２つの側面部（Ｓ）および２つの底面部（Ｂ）によって組立体（１Ａ）としての梱包材が構成され、当該組立体（１Ａ）としての梱包材の横断面は略長方形を呈する（図２の（Ｂ）参照）。そのため、側面部（Ｓ）をガスボンベ（２）の鍔部（２Ｆ）に対して垂直方向に保持できるので、当該組立体（１Ａ）としての梱包材が、上方からの外力に対して側面部（Ｓ）は専ら圧縮荷重だけを受けることになる。この優れた効果により、例えば、梱包材の組立体（１Ａ１）によって梱包された３本のガスボンベ（２）の上に、梱包材の組立体（１Ａ２）によって梱包された３本のガスボンベ（２）を積むと、梱包材の組立体（１Ａ１）の孔（Ｈ）よりキャップ（Ｃ）が突出していても、ガスボンベ（２）のガスボンベ底面（Ｂ５）が凹面となっているため、ガスボンベ底面（Ｂ５）とキャップ（Ｃ）とが突き当たることはない。図５には、キャップ（Ｃ）の上部が孔（Ｈ）から突出している状態が図示されているが、ガスボンベメーカのキャップの高さの平均をとって、これを底面部（Ｂ）から孔（Ｈ）までの距離とすれば、キャップ（Ｃ）の上部が孔（Ｈ）に接する状態のものから、キャップ（Ｃ）の上部が孔（Ｈ）から若干突出している状態のものまで存在し、これにより、自動包装の際の梱包材に対するガスボンベ（２）の位置決めが達成される。そのうえ、前述のとおり、図２を参照すると、基材（１）の略中央には、２つの線状の折り曲げ線（ＦＬ1）、（ＦＬ1）によって画定される、ガスボンベ（２）の鍔部（２Ｆ）の直径（Ｄ1）の長さと略等しい長さの幅を有する頂面部（Ｔ）の領域が配されている。従って、特許文献１の梱包材と比べて、幅の広い頂面部（Ｔ）の領域が実現されるので、安定して梱包材の組立体（１Ａ１）によって梱包された３本のガスボンベ（２）の上に、梱包材の組立体（１Ａ２）によって梱包された３本のガスボンベ（２）を積むことができる。同様に、梱包材の組立体（１Ａ２）によって梱包された３本のガスボンベ（２）の上に、梱包材の組立体（１Ａ３）によって梱包された３本のガスボンベ（２）を積むことができる。
【手続補正１１】
【補正対象書類名】明細書
【補正対象項目名】００４２
【補正方法】変更
【補正の内容】
【００４２】
１                            基材
１Ａ、１Ａ１、１Ａ２、１Ａ３  組立体
２                            ガスボンベ
２Ｂ                          ビード
２Ｃ                          胴部
２Ｆ                          鍔部
２Ｈ                          ドーム状缶頭部
Ｂ                            底面部
Ｂ５                          ガスボンベ底面
Ｃ                            キャップ
ＣＬ1、ＣＬ2、ＣＬ3           孔の中心
ＦＬ1、ＦＬ2                  折り曲げ領域
Ｈ、ＨＮ                      孔
Ｎ                            切込み
Ｎｅ１、Ｎｅ２                縁部
Ｓ                            側面部
Ｔ                            頂面部
ｔ1                           基材の厚さ
ｔ2                           鍔部とドーム状缶頭部との間の隙間の距離
【手続補正１２】
【補正対象書類名】図面
【補正対象項目名】図１
【補正方法】変更
【補正の内容】
【図１】
2014037246.tif 000012
【手続補正１３】
【補正対象書類名】図面
【補正対象項目名】図２
【補正方法】変更
【補正の内容】
【図２】
2014037246.tif 000013
【手続補正１４】
【補正対象書類名】図面
【補正対象項目名】図３
【補正方法】変更
【補正の内容】
【図３】
2014037246.tif 000014
【手続補正１５】
【補正対象書類名】図面
【補正対象項目名】図４
【補正方法】変更
【補正の内容】
【図４】
2014037246.tif 000015